(57)【特許請求の範囲】
【請求項１】
プラズマディスプレイパネルの電源回路とＡＣプラグとの間に配置され前記電源回路への電源供給を制御するメインスイッチ手段と、このメインスイッチ手段を制御する制御手段と、この制御手段への電源供給を制御するメインスイッチと、前記ＡＣプラグに入力側を電気的に接続しかつ出力端子の一端とＧＮＤとの間に前記メインスイッチを接続したスイッチングトランスと、前記制御手段への電源供給の立ち上がりを検出し前記制御手段を所定の状態にリセットするリセット回路と、このリセット回路のリセットがＡＣプラグの抜き差しによるものかメインスイッチのオンオフによるものかを検出してオールオフ信号を出力するオールオフ信号生成回路とを有し、オールオフ信号生成回路は、前記スイッチングトランスの前記出力端子の一端とメインスイッチとの接続点に−端子を接続しかつ＋端子を前記制御手段のオールオフ検出端子に接続したコンデンサと、このコンデンサの＋端子とＧＮＤとの間にアノード側がＧＮＤに接続されるように接続したダイオードと、前記コンデンサの＋端子とＧＮＤとの間に接続され前記メインスイッチがオンすることによりオンして前記コンデンサに充電された電荷を放電する放電用トランジスタとにより構成し、前記ＡＣプラグを電源コンセントに接続した状態で前記メインスイッチがオフのとき、前記コンデンサに前記ダイオードを介して電荷を充電し、この状態で前記メインスイッチをオンすることにより、前記コンデンサの＋端子の電圧が前記制御手段のオールオフ検出端子に入力されて、前記メインスイッチがオンになったことを前記制御手段が認識して前記メインスイッチ手段をオンさせるとともに、前記放電用トランジスタをオンさせて前記コンデンサの電荷を放電させ、かつ前記コンデンサを放電した状態で前記メインスイッチ手段をオフの状態とし、前記ＡＣプラグの抜き差しを行なったときは、前記制御手段のオールオフ検出端子に電圧を入力しないことにより、前記制御手段をＡＣプラグを抜く前の待機状態に復帰させるように構成したプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイ装置には、大別して、駆動的にはＡＣ型とＤＣ型があり、放電形式では面放電型と対向放電型の２種類があるが、高精細化、大画面化及び製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
まず、プラズマディスプレイ装置におけるプラズマディスプレイパネルの構造について図３を用いて説明する。図３に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【０００７】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図４にこのプラズマディスプレイパネルの電極配列を示しており、図４に示すようにスキャン電極及びサステイン電極とアドレス電極とは、Ｍ行×Ｎ列のマトリックス構成であり、行方向にはＭ行のスキャン電極ＳＣＮ１〜ＳＣＮＭ及びサステイン電極ＳＵＳ１〜ＳＵＳＭが配列され、列方向にはＮ列のアドレス電極Ｄ１〜ＤＮが配列されている。
【０００９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１０】
図５に、プラズマディスプレイ装置の表示駆動回路の構成を示している。図５に示すように、図３に示す構成のプラズマディスプレイパネル（ＰＤＰ）１０、アドレスドライバ回路１１、スキャンドライバ回路１２、サステインドライバ回路１３、放電制御タイミング発生回路１４、電源回路１５、１６、Ａ／Ｄコンバータ（アナログ・デジタル変換器）１７、走査数変換部１８、及びサブフィールド変換部１９を備えている。
【００１１】
図５の回路において、まず、映像信号ＶＤは、Ａ／Ｄコンバータ１７に入力される。また、水平同期信号Ｈ及び垂直同期信号Ｖは放電制御タイミング発生回路１４、Ａ／Ｄコンバータ１７、走査数変換部１８、サブフィールド変換部１９に与えられる。Ａ／Ｄコンバータ１７は、映像信号ＶＤをデジタル信号に変換し、その画像データを走査数変換部１８に与える。
【００１２】
走査数変換部１８は、画像データをＰＤＰ１０の画素数に応じたライン数の画像データに変換し、各ラインごとの画像データをサブフィールド変換部１９に与える。サブフィールド変換部１９は、各ラインごとの画像データの各画素データを複数のサブフィールドに対応する複数のビットに分割し、各サブフィールドごとに各画素データの各ビットをアドレスドライバ回路１１にシリアルに出力する。アドレスドライバ回路１１は、電源回路１５に接続されており、サブフィールド変換部１９から各サブフィールドごとにシリアルに与えられるデータをパラレルデータに変換し、そのパラレルデータに基づいて複数のアドレス電極に電圧を供給する。
【００１３】
放電制御タイミング発生回路１４は、水平同期信号Ｈ及び垂直同期信号Ｖを基準として、放電制御タイミング信号ＳＣ、ＳＵを発生し、各々スキャンドライバ回路１２及びサステインドライバ回路１３に与える。スキャンドライバ回路１２は、出力回路１２１及びシフトレジスタ１２２を有する。また、サステインドライバ回路１３は、出力回路１３１及びシフトレジスタ１３２を有する。これらのスキャンドライバ回路１２及びサステインドライバ回路１３は共通の電源回路１６に接続されている。
【００１４】
スキャンドライバ回路１２のシフトレジスタ１２２は、放電制御タイミング発生回路１４から与えられる放電制御タイミング信号ＳＣを垂直走査方向にシフトしつつ出力回路１２１に与える。出力回路１２１は、シフトレジスタ１２２から与えられる放電制御タイミング信号ＳＣに応答して複数のスキャン電極に順に駆動信号電圧を供給する。
【００１５】
サステインドライバ回路１３のシフトレジスタ１３２は、放電制御タイミング発生回路１４から与えられる放電制御タイミング信号ＳＵを垂直走査方向にシフトしつつ出力回路１３１に与える。出力回路１３１は、シフトレジスタ１３２から与えられる放電制御タイミング信号ＳＵに応答して複数のサステイン電極に順に駆動信号電圧を供給する。
【００１６】
この種のプラズマディスプレイ装置においては、電源供給の制御が制御用のマイクロコンピュータ（以下マイコンと記載する）による制御回路により行なわれ、この制御回路ではオールオフ信号を出力するオールオフ信号生成回路が用いられている。ここで、オールオフ信号とは、メインスイッチをオフ状態からオン状態にした時にプラズマディスプレイ装置をオンさせるが、このオフからオンの状態を制御マイコンに伝える信号である。
【００１７】
図６に従来の電源制御回路部分のブロック図を示しており、図６において、２１はＡＣプラグ、２２はプラズマディスプレイパネルの電源回路部分とＡＣプラグ２１との間に配置されたメイン電源用のメインスイッチ手段としてのリレーで、前記電源回路部分への電源供給を制御する。２３はこのリレー２２をオンオフさせるためのスイッチ素子としてのトランジスタ、２４はメイン電源用の１次側の整流・平滑回路、２５はメイン電源用のスイッチングトランス、２６はメイン電源用の電源制御回路、２７はメイン電源用の２次側の整流・平滑回路である。２８はトランジスタ２３のオンオフを制御してメイン電源への電源供給を制御する制御手段としてのマイコン、２９はマイコン電源用の１次側の整流・平滑回路、３０はマイコン電源用のスイッチングトランス、３１はマイコン電源用の電源制御回路、３２はマイコン電源用のレギュレータ回路、３３はメインスイッチ、３４はオールオフ信号用のコンデンサ、３５はコンデンサ３４の放電抵抗、３６はコンデンサ３４の充電用のダイオード、３７はマイコン用のリセット回路である。
【００１８】
図６の回路において、ＡＣプラグ２１が電源コンセントに接続された状態でメインスイッチ３３がオン状態となると、マイコン電源用スイッチングトランス３０の端子３０ｂがＧＮＤに落ちている場合、端子３０ａには一定の出力が出される。ここでは、仮に７Ｖ出力すると仮定する。
【００１９】
まず、ＡＣプラグ２１を電源コンセントに接続した状態でメインスイッチ３３をオフからオンした時の遷移を説明する。ＡＣプラグ２１を電源コンセントに接続した状態で、メインスイッチ３３をオフしている場合、スイッチングトランス３０の端子３０ｂ側は、フローティング状態となる。この時、マイコン用レギュレータ回路３２は電源が供給されず、入出力は０Ｖに近づく。スイッチングトランス３０の端子３０ａが０Ｖとなるため、端子３０ｂは−７Ｖとなる。そして、コンデンサ３４の−端子は−７Ｖであるため、ダイオード３６より電流が流れ、コンデンサ３４は７Ｖ分の電荷が充電される。
【００２０】
この状態でメインスイッチ３３をオンすると、スイッチングトランス３０の端子３０ｂがＧＮＤとなり、端子３０ａに７Ｖが印加され、レギュレータ回路３２を通してマイコン２８に電源が供給される。一方、コンデンサ３４の−端子もＧＮＤとなるため、コンデンサ３４に充電されていた電荷により、＋端子が７Ｖに上昇する。この電圧上昇をマイコン２８のオールオフ検出端子に加えることにより、メインスイッチ３３がオンになったことをマイコン２８が認識して、トランジスタ２３をオンし、メイン電源用リレー２２をオンさせてプラズマディスプレイパネルを起動させる。
【００２１】
次に、メインスイッチ３３がオンした状態で、ＡＣプラグ２１を電源コンセントに接続した時の遷移を説明する。メインスイッチ３３が入った状態で、ＡＣプラグ２１が抜けている状態では、メイン電源、マイコン電源とも電源は供給されないとともに、コンデンサ３４にも充電されない。この状態で、ＡＣプラグ２１を電源コンセントに接続すると、まずマイコン電源が立ち上がると同時にリセット回路３７によりリセットが行なわれる。しかしながら、コンデンサ３４には電荷は充電されていないため、マイコン２８のオールオフ検出端子は０Ｖのままである。リセットが行なわれた時、オールオフ検出端子が０Ｖであれば、マイコン２８はマイコン電源が切れた時のトランジスタ２３の動作状態を再現する。すなわち、ＡＣプラグ２１を抜いた時にトランジスタ２３がオフの待機状態であれば、待機状態に復帰させ、トランジスタ２３がオンの状態の通電状態であれば通電状態に復帰させる。
【００２２】
ここで、コンデンサ３４、抵抗３５、ダイオード３６によるオールオフ信号生成回路がない場合、メインスイッチ３３をオンオフした場合でも、ＡＣプラグ２１を電源コンセントに差し込んだり抜いたりする場合でも、マイコン２８の電源の入り方、リセットのかかり方は同じになるため、メインスイッチ３３をオンオフさせた状態とＡＣプラグ２１の抜き差しをした状態では、プラズマディスプレイ装置の挙動は同一となってしまう。
【００２３】
【発明が解決しようとする課題】
しかしながら、上記のような構成では、ＡＣプラグ２１が電源コンセントに接続した状態で、メインスイッチ３３がオフになっている状態からオンさせ、しかもプラズマディスプレイ装置を起動させた直後に、リモコン等でリレー２２をオフし待機状態にした後、ＡＣプラグ２１を抜き差しした場合、放電抵抗３５がコンデンサ３４を充電するのに間に合わず、マイコン２８のオールオフ検出端子に電圧がかかったまま、ＡＣプラグ２１の抜き差しによるリセットがマイコン２８にかかる。このため、メインスイッチ３３のオンオフと同じ状態になるため、待機状態であったのにもかかわらず、プラズマディスプレイ装置が起動するという課題があった。
【００２４】
本発明はこのような課題に鑑みなされたもので、誤動作によるプラズマディスプレイ装置の起動を防ぐことを目的とする。
【００２５】
【課題を解決するための手段】
この課題を解決するために本発明では、リセット回路のリセットがＡＣプラグの抜き差しによるものかメインスイッチのオンオフによるものかを検出してオールオフ信号を出力するオールオフ信号生成回路とを有し、オールオフ信号生成回路は、前記スイッチングトランスの前記出力端子の一端とメインスイッチとの接続点に−端子を接続しかつ＋端子を前記制御手段のオールオフ検出端子に接続したコンデンサと、このコンデンサの＋端子とＧＮＤとの間にアノード側がＧＮＤに接続されるように接続したダイオードと、前記コンデンサの＋端子とＧＮＤとの間に接続され前記メインスイッチがオンすることによりオンして前記コンデンサに充電された電荷を放電する放電用トランジスタとにより構成し、前記ＡＣプラグを電源コンセントに接続した状態で前記メインスイッチがオフのとき、前記コンデンサに前記ダイオードを介して電荷を充電し、この状態で前記メインスイッチをオンすることにより、前記コンデンサの＋端子の電圧が前記制御手段のオールオフ検出端子に入力されて、前記メインスイッチがオンになったことを前記制御手段が認識して前記メインスイッチ手段をオンさせるとともに、前記放電用トランジスタをオンさせて前記コンデンサの電荷を放電させ、かつ前記コンデンサを放電した状態で前記メインスイッチ手段をオフの状態とし、前記ＡＣプラグの抜き差しを行なったときは、前記制御手段のオールオフ検出端子に電圧を入力しないことにより、前記制御手段をＡＣプラグを抜く前の待機状態に復帰させるように構成したものである。
【００２６】
【発明の実施の形態】
すなわち、本発明の請求項１に記載の発明は、プラズマディスプレイパネルの電源回路とＡＣプラグとの間に配置され前記電源回路への電源供給を制御するメインスイッチ手段と、このメインスイッチ手段を制御する制御手段と、この制御手段への電源供給を制御するメインスイッチと、前記ＡＣプラグに入力側を電気的に接続しかつ出力端子の一端とＧＮＤとの間に前記メインスイッチを接続したスイッチングトランスと、前記制御手段への電源供給の立ち上がりを検出し前記制御手段を所定の状態にリセットするリセット回路と、このリセット回路のリセットがＡＣプラグの抜き差しによるものかメインスイッチのオンオフによるものかを検出してオールオフ信号を出力するオールオフ信号生成回路とを有し、オールオフ信号生成回路は、前記スイッチングトランスの前記出力端子の一端とメインスイッチとの接続点に−端子を接続しかつ＋端子を前記制御手段のオールオフ検出端子に接続したコンデンサと、このコンデンサの＋端子とＧＮＤとの間にアノード側がＧＮＤに接続されるように接続したダイオードと、前記コンデンサの＋端子とＧＮＤとの間に接続され前記メインスイッチがオンすることによりオンして前記コンデンサに充電された電荷を放電する放電用トランジスタとにより構成し、前記ＡＣプラグを電源コンセントに接続した状態で前記メインスイッチがオフのとき、前記コンデンサに前記ダイオードを介して電荷を充電し、この状態で前記メインスイッチをオンすることにより、前記コンデンサの＋端子の電圧が前記制御手段のオールオフ検出端子に入力されて、前記メインスイッチがオンになったことを前記制御手段が認識して前記メインスイッチ手段をオンさせるとともに、前記放電用トランジスタをオンさせて前記コンデンサの電荷を放電させ、かつ前記コンデンサを放電した状態で前記メインスイッチ手段をオフの状態とし、前記ＡＣプラグの抜き差しを行なったときは、前記制御手段のオールオフ検出端子に電圧を入力しないことにより、前記制御手段をＡＣプラグを抜く前の待機状態に復帰させるように構成したものである。
【００２７】
以下に、本発明の一実施の形態について、図１及び図２を参照しながら説明する。
【００２８】
図１は本発明の一実施の形態によるプラズマディスプレイ装置の電源回路部分を示す図であり、図１において、図６と同一部分には同一番号を付している。すなわち、図１において、２１はＡＣプラグ、２２はプラズマディスプレイパネルの電源回路部分とＡＣプラグ２１との間に配置されたメイン電源用のメインスイッチ手段としてのリレーで、前記電源回路部分への電源供給を制御する。２３はこのリレー２２をオンオフさせるためのスイッチ素子としてのトランジスタ、２４はメイン電源用の１次側の整流・平滑回路、２５はメイン電源用のスイッチングトランス、２６はメイン電源用の電源制御回路、２７はメイン電源用の２次側の整流・平滑回路である。
【００２９】
２８はトランジスタ２３のオンオフを制御してメイン電源への電源供給を制御する制御手段としてのマイコン、２９はマイコン電源用の１次側の整流・平滑回路、３０は前記ＡＣプラグ２１に入力側を整流・平滑回路２９を介して電気的に接続したマイコン電源用のスイッチングトランス、３１はマイコン電源用の電源制御回路、３２はマイコン電源用のレギュレータ回路、３３はマイコン２８への電源供給を制御するメインスイッチで、前記スイッチングトランス３０の出力端子の一端とＧＮＤとの間に接続されている。３７はマイコン用のリセット回路である。
【００３０】
次に、オールオフ信号生成回路について、説明する。図１に示すように、３８は前記スイッチングトランス３０の出力端子の一端とメインスイッチ３３との接続点に−端子を接続したオールオフ信号用のコンデンサで、＋端子は前記制御手段であるマイコン２８のオールオフ検出端子に接続されている。３９はコンデンサ３８の充電用のダイオードで、コンデンサ３８の＋端子とＧＮＤとの間にアノード側がＧＮＤに接続されるように接続されている。４０は前記コンデンサ３８を放電させるための放電用のスイッチ手段としてのトランジスタであり、前記コンデンサ３８の＋端子とＧＮＤとの間に接続され、前記メインスイッチ３３がオンすることによりオンして前記コンデンサ３８に充電された電荷を放電する。これらのコンデンサ３８、ダイオード３９、トランジスタ４０によりオールオフ信号生成回路が構成されている。また、コンデンサ３８の放電を制御するトランジスタ４０には、リレー２２をオンオフさせるためのトランジスタ２３の制御信号と同じ信号が入力されるように構成されている。
【００３１】
この図１に示す回路において、ＡＣプラグ２１が電源コンセントに接続された状態でメインスイッチ３３がオン状態となると、マイコン電源用スイッチングトランス３０の端子３０ｂがＧＮＤに落ちている場合、端子３０ａには一定の出力が出される。ここでは、仮に７Ｖ出力すると仮定する。
【００３２】
まず、ＡＣプラグ２１を電源コンセントに接続した状態でメインスイッチ３３をオフからオンした時の遷移を説明する。ＡＣプラグ２１を電源コンセントに接続した状態で、メインスイッチ３３をオフしている場合、スイッチングトランス３０の一方の端子３０ｂ側は、フローティング状態となる。この時、マイコン用レギュレータ回路３２は電源が供給されず、入出力は０Ｖに近づく。スイッチングトランス３０のもう一方の端子３０ａが０Ｖとなるため、端子３０ｂは−７Ｖとなる。そして、トランジスタ４０は、メイン電源のリレー２２を制御するトランジスタ２３がオフであるため、オフとなっている。コンデンサ３８の−端子は−７Ｖであるため、ダイオード３９より電流が流れ、コンデンサ３８は７Ｖ分の電荷が充電される。
【００３３】
この状態でメインスイッチ３３をオンすると、スイッチングトランス３０の端子３０ｂがＧＮＤとなり、端子３０ａに７Ｖが印加され、レギュレータ回路３２を通してマイコン２８に電源が供給される。一方、コンデンサ３８の−端子もＧＮＤとなるため、コンデンサ３８に充電されていた電荷により、＋端子が７Ｖに上昇する。この電圧上昇をマイコン２８のオールオフ検出端子に加えることにより、メインスイッチ３３がオンになったことをマイコン２８が認識して、トランジスタ２３をオンし、メイン電源用リレー２２をオンさせてプラズマディスプレイパネルを起動させる。これと同時に、コンデンサ３８の放電用スイッチ手段であるトランジスタ４０がオンし、コンデンサ３８は放電する。
【００３４】
このトランジスタ４０によるコンデンサ３８の放電は、従来の放電抵抗に比べ放電時間が短く、またプラズマディスプレイパネルが起動してから放電を始めるため、放電時間が早すぎてプラズマディスプレイパネルが起動する前に放電し切ってしまうという誤動作も起きない。
【００３５】
次に、ＡＣプラグ２１が差し込まれた状態で、メインスイッチ３３がオフの状態からオン状態となり、リモコンによる待機（メイン電源のリレー２２がオフ）状態とし、ＡＣプラグ２１の抜き差しが行なわれた場合の状態の遷移を説明する。
【００３６】
ＡＣプラグ２１が電源コンセントに接続され、メインスイッチ３３がオフになっている状態では、コンデンサ３８は７Ｖに充電される。ここで、メインスイッチ３３をオンにすると、スイッチングトランス３０の端子３０ｂがＧＮＤとなり、スイッチングトランス３０の端子３０ａに７Ｖが印加され、レギュレータ回路３２を通してマイコン２８に電源が供給される。一方、コンデンサ３８の−端子もＧＮＤとなるため、コンデンサ３８に充電されていた電荷により＋端子が７Ｖに上昇する。この電圧上昇をマイコン２８のオールオフ検出端子に加えることにより、メインスイッチ３３がオンになったことをマイコン２８が認識して、マイコン２８はトランジスタ２３をオンしてプラズマディスプレイパネルを起動させると同時に、トランジスタ４０をオンしてコンデンサ３８が放電される。
【００３７】
また、前記コンデンサ３８が放電した状態で、リモコンによる待機（メイン電源のリレー２２がオフ）状態とした後、ＡＣプラグ２１の抜き差しを行なったときは、マイコン２８がリセットされても、コンデンサ３８には充電されていないため、オールオフ検出端子は０Ｖで電圧が入力されなく、マイコン２８はＡＣプラグ２１を抜く前の待機状態に復帰する。
【００３８】
このように、プラズマディスプレイパネルが起動直後に、直ちにオールオフ信号生成回路のコンデンサ３８が放電されるため、コンデンサ３８の放電に時間がかかることで生じる起動の誤動作を防ぐことができる。
【００３９】
図２は、本発明の他の実施の形態によるプラズマディスプレイ装置の電源回路部分を示す図であり、図２において、図１と同一部分には同一番号を付している。すなわち、この図２に示す実施の形態では、コンデンサ３８の放電を制御するトランジスタ４０には、メイン電源用の２次側の整流・平滑回路を通った後の電圧が入力されるように構成したもので、オールオフ信号生成回路のオールオフ信号をメイン電源の電源供給の立ち上がりによって初期化するように構成したものである。
【００４０】
まず、ＡＣプラグ２１を電源コンセントに接続した状態でメインスイッチ３３をオフからオンした時の遷移を説明する。ＡＣプラグ２１を電源コンセントに接続した状態で、メインスイッチ３３をオフしている場合、スイッチングトランス３０の端子３０ｂ側は、フローティング状態となる。この時、マイコン用レギュレータ回路３２は電源が供給されず、入出力は０Ｖに近づく。スイッチングトランス３０の端子３０ａが０Ｖとなるため、端子３０ｂは−７Ｖとなる。そして、トランジスタ４０は、メイン電源が立ち上がっていなくオフとなっている。コンデンサ３８の−端子は−７Ｖであるため、ダイオード３９より電流が流れ、コンデンサ３８は７Ｖ分の電荷が充電される。
【００４１】
この状態でメインスイッチ３３をオンすると、スイッチングトランス３０の端子３０ｂがＧＮＤとなり、端子３０ａに７Ｖが印加され、レギュレータ回路３２を通してマイコン２８に電源が供給される。一方、コンデンサ３８の−端子もＧＮＤとなるため、コンデンサ３８に充電されていた電荷により、＋端子が７Ｖに上昇する。この電圧上昇をマイコン２８のオールオフ検出端子に加えることにより、メインスイッチ３３がオンになったことをマイコン２８が認識して、トランジスタ２３をオンし、メイン電源用リレー２２をオンさせてプラズマディスプレイパネルを起動させる。これと同時に、コンデンサ３８の放電用スイッチ手段であるトランジスタ４０がオンし、コンデンサ３８は放電する。
【００４２】
このトランジスタ４０によるコンデンサ３８の放電は、従来の放電抵抗に比べ放電時間が短く、またプラズマディスプレイパネルが起動してから放電を始めるため、放電時間が早すぎてプラズマディスプレイパネルが起動する前に放電し切ってしまうという誤動作も起きない。
【００４３】
次に、ＡＣプラグ２１が差し込まれた状態で、メインスイッチ３３がオフの状態からオン状態となり、リモコンによる待機（メイン電源のリレー２２がオフ）状態とした後、ＡＣプラグ２１の抜き差しが行なわれた場合の状態の遷移を説明する。
【００４４】
ＡＣプラグ２１が電源コンセントに接続され、メインスイッチ３３がオフになっている状態では、コンデンサ３８は７Ｖに充電される。ここで、メインスイッチ３３をオンにすると、スイッチングトランス３０の端子３０ｂがＧＮＤとなり、スイッチングトランス３０の端子３０ａに７Ｖが印加され、レギュレータ回路３２を通してマイコン２８に電源が供給される。一方、コンデンサ３８の−端子もＧＮＤとなるため、コンデンサ３８に充電されていた電荷により＋端子が７Ｖに上昇する。この電圧上昇をマイコン２８のオールオフ検出端子に加えることにより、メインスイッチ３３がオンになったことをマイコン２８が認識して、マイコン２８はトランジスタ２３をオンしてプラズマディスプレイパネルを起動させると同時に、メイン電源が立ち上がると、トランジスタ４０がオンして、コンデンサ３８が放電される。
【００４５】
また、前記コンデンサ３８が放電された状態でリモコンによる待機（メイン電源のリレー２２がオフ）状態とした後、ＡＣプラグ２１の抜き差しを行ない、マイコン２８がリセットされても、コンデンサ３８には充電されていないため、オールオフ検出端子は０Ｖとなり、マイコン２８はＡＣプラグ２１を抜く前の待機状態に復帰する。
【００４６】
このように、本実施の形態においてもプラズマディスプレイパネルが起動直後に、直ちにオールオフ信号生成回路のコンデンサ３８が放電されるため、コンデンサ３８の放電に時間がかかることで生じる起動の誤動作を防ぐことができる。
【００４７】
【発明の効果】
以上説明したように本発明によれば、プラズマディスプレイパネルが起動直後にオールオフ信号用のコンデンサを放電させるため、コンデンサの放電に時間がかかることで生じる起動の誤動作を防ぐことができる。
【図面の簡単な説明】
【図１】  本発明の一実施の形態によるプラズマディスプレイ装置の電源回路部を示す回路図
【図２】  本発明の他の実施の形態によるプラズマディスプレイ装置の電源回路部を示す回路図
【図３】  プラズマディスプレイ装置のパネルの概略構成を示す斜視図
【図４】  同プラズマディスプレイ装置のパネルの電極配列を示す説明図
【図５】  同プラズマディスプレイ装置の表示駆動回路の一例を示すブロック回路図
【図６】  従来例における電源回路部を示す回路図
【符号の説明】
２１  ＡＣプラグ
２２  リレー
２３  トランジスタ
２４  整流・平滑回路
２５  スイッチングトランス
２６  電源制御回路
２７  整流・平滑回路
２８  マイコン
３０  スイッチングトランス
３３  メインスイッチ
３７  リセット回路
３８  コンデンサ
４０  トランジスタ
【図１】
0004296755.tif 000002
【図２】
0004296755.tif 000003
【図３】
0004296755.tif 000004
【図４】
0004296755.tif 000005
【図５】
0004296755.tif 000006
【図６】
0004296755.tif 000007